(57)【要約】      （修正有）【課題】太さが異なる複数種類のホースを容易に蛇口に接続できるようにしたホース接続器具を提供する。【解決手段】蛇口に結合されるとともに、蛇口に結合される側と反対の側に、第１の太さの第１ホース３を把持する第１ホースホルダーを有するカップリング１０と、第１ホース３を通す穴を有するとともに、カップリング１０と接続可能な第１ホース固定部（第１ロックホルダー）と、カップリング１０と接続可能であるとともに、カップリング１０に接続される側と反対の側に、第１の太さと異なる第２の太さの第２ホース４を把持する第２ホースホルダーを有するアダプタ１２と、第２ホース４を通す穴を有するとともに、アダプタ１２と接続可能な第２ロックホルダー１３と、を備える。【選択図】図２
0003189968.tif 000002
【実用新案登録請求の範囲】
【請求項１】
蛇口に結合されるとともに、前記蛇口に結合される側と反対の側に、第１の太さの第１ホースを把持する第１把持部を有する蛇口結合部と、
前記第１ホースを通す穴を有するとともに、前記蛇口結合部と接続可能な第１ホース固定部と、
前記蛇口結合部と接続可能であるとともに、前記蛇口結合部に接続される側と反対の側に、前記第１の太さと異なる第２の太さの第２ホースを把持する第２把持部を有する中継部と、
前記第２ホースを通す穴を有するとともに、前記中継部と接続可能な第２ホース固定部と、
を備えるホース接続器具。
【請求項２】
前記蛇口結合部は、外周上に設けられた第１螺合部を有し、
前記第１ホース固定部は、前記第１螺合部と結合される第２螺合部を有し、
前記中継部は、前記第１螺合部と結合される第３螺合部を有し、
前記中継部は、外周上に設けられた第４螺合部を有し、
前記第２ホース固定部は、前記第４螺合部と結合される第５螺合部を有する、
請求項１に記載のホース接続器具。
【請求項３】
前記第１把持部の内径が、前記第２把持部の内径よりも大きい、
請求項１又は２に記載のホース接続器具。
【考案の詳細な説明】
【技術分野】
【０００１】
本考案は、水道の蛇口にホースを接続するためのホース接続器具に関する。
【背景技術】
【０００２】
従来、蛇口にホースを結合するためのホース接続器具が知られている。従来のホース接続器具は、蛇口に結合されるカップリングと、ホースが挿入された状態でカップリングと結合されることで、蛇口から流れ出る水をホースに流入させるホースホルダーと、を備えている。
【先行技術文献】
【特許文献】
【０００３】
【特許文献１】実用新案登録第３１１１２１９号公報
【考案の概要】
【考案が解決しようとする課題】
【０００４】
ところで、ホースには、太さが異なるさまざまな種類がある。例えば、内径が７．５ｍｍの細いホースや内径が１５．０ｍｍの太いホースがあり、用途によって使い分けられている。例えば、比較的多くの水を撒く必要がある場所では、太いホースが使用され、比較的少ない水で十分であるが、太いホースを設置できない場所では、細いホースが使用されている。
【０００５】
しかし、従来のホース接続器具では、蛇口結合部に接続できるホースの太さの範囲が限定されており、太いホースと細いホースとを使い分けることが困難であった。
【０００６】
そこで、本考案はこれらの点に鑑みてなされたものであり、太さが異なる複数種類のホースを容易に蛇口に接続することを可能にするホース接続器具を提供することを目的とする。
【課題を解決するための手段】
【０００７】
本考案に係るホース接続器具は、蛇口に結合されるとともに、前記蛇口に結合される側と反対の側に、第１の太さの第１ホースを把持する第１把持部（第１ホースホルダー）を有する蛇口結合部（カップリング）と、前記第１ホースを通す穴を有するとともに、前記蛇口結合部と接続可能な第１ホース固定部（第１ロックホルダー）と、前記蛇口結合部と接続可能であるとともに、前記蛇口結合部に接続される側と反対の側に、前記第１の太さと異なる第２の太さの第２ホースを把持する第２把持部（第２ホースホルダー）を有する中継部（アダプタ）と、前記第２ホースを通す穴を有するとともに、前記中継部と接続可能な第２ホース固定部（第２ロックホルダー）と、を備える。
【０００８】
前記蛇口結合部は、外周上に設けられた第１螺合部を有し、前記第１ホース固定部は、前記第１螺合部と結合される第２螺合部を有し、前記中継部は、前記第１螺合部と結合される第３螺合部を有し、前記中継部は、外周上に設けられた第４螺合部を有し、前記第２ホース固定部は、前記第４螺合部と結合される第５螺合部を有してもよい。前記第１把持部の内径は、前記第２把持部の内径よりも大きくてもよい。
【考案の効果】
【０００９】
本考案によれば、太さが異なる複数種類のホースを容易に蛇口に接続することができるという効果を奏する。
【図面の簡単な説明】
【００１０】
【図１】本実施形態に係るホース接続器具が水道の蛇口に接続される状態を示す図である。
【図２】ホース接続器具の構成を示す図である。
【図３】カップリングの構成を示す図である。
【図４】アダプタの構成を示す図である。
【考案を実施するための形態】
【００１１】
図１は、本実施形態に係るホース接続器具１が水道の蛇口２に接続される状態を示す図である。図１において、蛇口２には、ホース接続器具１を接続するための蛇口コネクタ２０が取り付けられている。ホース接続器具１（１Ａ又は１Ｂ）は、蛇口コネクタ２０を介して蛇口２に接続される。
【００１２】
図１（ａ）は、第１の太さの第１ホース３を蛇口２に接続する際のホース接続器具１の状態（ホース接続器具１Ａ）を示す。この状態において、ホース接続器具１Ａは、カップリング１０及び第１ロックホルダー１１を備える。第１ホース３の内径は、例えば１２〜１５ｍｍである。
【００１３】
図１（ｂ）は、第１の太さよりも細い第２の太さの第２ホース４を蛇口２に接続する際のホース接続器具１の状態（ホース接続器具１Ｂ）を示す。この状態において、ホース接続器具１Ｂは、カップリング１０、アダプタ１２及び第２ロックホルダー１３を備える。第２ホース４の内径は、例えば７．５〜９ｍｍである。
【００１４】
このように、ホース接続器具１は、蛇口２に接続すべきホースの太さに応じて構成を変えることにより、太さが異なる第１ホース３及び第２ホース４を蛇口２に接続することを可能にする。
以下、ホース接続器具１の構成を詳細に説明する。
【００１５】
図２は、ホース接続器具１の構成を示す図である。図２（ａ）は、第１ホース３を蛇口２に接続する際のホース接続器具１の構成（ホース接続器具１Ａ）を示す。図２（ｂ）は、第２ホース４を蛇口２に接続する際のホース接続器具１の構成（ホース接続器具１Ｂ）を示す。
【００１６】
ホース接続器具１は、カップリング１０と、第１ロックホルダー１１と、アダプタ１２と、第２ロックホルダー１３とを備える。
カップリング１０は、蛇口２に結合される。図２（ａ）に示すように、第１ホース３を使用する場合には、第１ホース３を装着させた第１ロックホルダー１１をカップリング１０に結合させる。また、図２（ｂ）に示すように、第２ホース４を使用する場合には、第２ホース４を装着した第２ロックホルダー１３をアダプタ１２に結合させ、第２ロックホルダー１３と結合したアダプタ１２をカップリング１０に結合させる。カップリング１０の外周の一部には螺旋状の溝（第１螺合部）が形成されている。カップリング１０の詳細については、後述する。
【００１７】
第１ロックホルダー１１は、第１ホース３を通す穴を有する円筒形状をしており、第１ロックホルダー１１の側面の内周には螺旋状の溝（第２螺合部）が形成されている。ホース接続器具１の使用者が、穴に第１ホース３を通した状態で、第１ロックホルダー１１をカップリング１０に向けて押しながら回転させることにより、第２螺合部が第１螺合部と螺合し、カップリング１０と第１ロックホルダー１１とが接続される。
【００１８】
アダプタ１２は、カップリング１０と接する側の内周に螺旋状の溝（第３螺合部）が形成されている。第３螺合部の形状は、第２螺合部と同じ形状である。ホース接続器具１の使用者が、アダプタ１２をカップリング１０に向けて押しながら回転させることにより、第３螺合部が第１螺合部と螺合し、カップリング１０とアダプタ１２とが接続される。
【００１９】
また、アダプタ１２は、第２ロックホルダー１３と接する側の外周の一部にも螺旋状の溝（第４螺合部）が形成されている。第４螺合部が形成された外周の直径は、第１螺合部が形成されたカップリング１０の外周の直径よりも小さい。
【００２０】
第２ロックホルダー１３は、第２ホース４を通す穴を有する円筒形状をしており、第２ロックホルダー１３の側面の内周には螺旋状の溝（第５螺合部）が形成されている。第５螺合部が形成された側面の内径は、第２螺合部が形成された第１ロックホルダー１１の側面の内径よりも小さい。ホース接続器具１の使用者が、第２ロックホルダー１３をアダプタ１２の向きに押しながら回転させることにより、第５螺合部が第４螺合部と螺合し、アダプタ１２と第２ロックホルダー１３とが接続される。
【００２１】
図３は、カップリング１０の構成を示す図である。カップリング１０は、結合部１０１と、第１螺合部１０２と、第１ホースホルダー１０３と、第１水路部１０４とを有する。
【００２２】
結合部１０１は、硬質樹脂で構成されており、蛇口コネクタ２０と嵌合する嵌合部（不図示）を有する。ホース接続器具１の使用者は、結合部１０１を持ってカップリング１０を蛇口コネクタ２０に押し付けることにより、結合部１０１が蛇口コネクタ２０と嵌合する。
【００２３】
第１螺合部１０２は、螺旋状の溝により構成されている。使用者が第１ロックホルダー１１をカップリング１０に向けて押しながら回転させることにより、第１ロックホルダー１１に形成された第２螺合部が第１螺合部１０２と螺合する。同様に、使用者がアダプタ１２をカップリング１０に向けて押しながら回転させることにより、アダプタ１２に形成された第３螺合部が第１螺合部１０２と螺合する。
【００２４】
第１ホースホルダー１０３は、カップリング１０における蛇口２に結合される側と反対の側に形成された、第１の太さの第１ホース３を把持する複数の爪により構成されている。それぞれの爪の間には空隙があり、第１ロックホルダー１１が回転して第１螺合部１０２と第２螺合部とが螺合するにつれて、複数の爪の位置が半径方向に移動することにより、第１ホース３を締め付ける。このようにして、第１ホースホルダー１０３は、第１ホース３の太さによらず、第１ホース３を把持することができる。
【００２５】
第１水路部１０４は、第１ホースホルダー１０３の内側に設けられており、蛇口２から流出する水を第１ホース３に導き入れる。第１水路部１０４は、第１ホース３の内径よりも小さな直径を有する円筒形状をしている。第１ホースホルダー１０３と第１水路部１０４との間の半径方向の長さは、第１ホース３の肉厚よりも大きい。
【００２６】
図４は、アダプタ１２の構成を示す図である。アダプタ１２は、結合部１２１と、第４螺合部１２２と、第２ホースホルダー１２３と、第２水路部１２４とを有する。
【００２７】
結合部１２１は、硬質樹脂で構成されており、内側に第３螺合部が形成されている。ホース接続器具１の使用者は、結合部１２１を持ってアダプタ１２をカップリング１０の向きに押しながら回転させることにより、結合部１２１が第１ホースホルダー１０３と螺合する。
【００２８】
第４螺合部１２２は、螺旋状の溝により構成されている。使用者が第２ロックホルダー１３をアダプタ１２に向けて押しながら回転させることにより、第２ロックホルダー１３に形成された第５螺合部が第４螺合部１２２と螺合する。
【００２９】
第２ホースホルダー１２３は、アダプタ１２におけるカップリング１０に結合される側と反対の側に形成された、第２の太さの第２ホース４を把持する複数の爪により構成されている。それぞれの爪の間には空隙があり、第２ロックホルダー１３が回転して第４螺合部１２２と第５螺合部とが螺合するにつれて、複数の爪の位置が半径方向に移動することにより、第２ホース４を締め付ける。このようにして、第２ホースホルダー１２３は、第２ホース４の太さによらず、第２ホース４を把持することができる。第２ホースホルダー１２３の内径は、第１ホースホルダー１０３の内径よりも小さいので、第２ホースホルダー１２３は、第１ホース３よりも細い第２ホース４を把持することができる。
【００３０】
第２水路部１２４は、第２ホースホルダー１２３の内側に設けられており、蛇口２から流出する水を第２ホース４に導き入れる。第２水路部１２４は、第２ホース４の内径よりも小さな直径を有する円筒形状をしている。第２ホースホルダー１２３と第２水路部１２４との間の半径方向の長さは、第２ホース４の肉厚よりも大きい。
【００３１】
以上のとおり、本実施形態に係るホース接続器具は、蛇口２に結合されるとともに、蛇口２に結合される側と反対の側に、第１ホース３を把持する第１ホースホルダー１０３を有するカップリング１０と、第１ホース３を通す穴を有するとともに、カップリング１０と接続可能な第１ロックホルダーと、カップリング１０と接続可能であるとともに、カップリング１０に接続される側と反対の側に、第２ホース４を把持する第２ホースホルダー１２３を有するアダプタ１２と、第２ホース４を通す穴を有するとともに、アダプタ１２と接続可能な第２ロックホルダー１３と、を備えるので、太さが異なる複数の種類のホースを容易に蛇口２に接続することが可能になる。
【００３２】
以上、本考案を実施の形態を用いて説明したが、本考案の技術的範囲は上記実施の形態に記載の範囲には限定されない。上記実施の形態に、多様な変更又は改良を加えることが可能であることが当業者に明らかである。そのような変更又は改良を加えた形態も本考案の技術的範囲に含まれ得ることが、実用新案登録請求の範囲の記載から明らかである。
【符号の説明】
【００３３】
１  ホース接続器具
２  蛇口
３  第１ホース
４  第２ホース
１０  カップリング
１１  第１ロックホルダー
１２  アダプタ
１３  第２ロックホルダー
２０  蛇口コネクタ
１０１  結合部
１０２  第１螺合部
１０３  第１ホースホルダー
１０４  第１水路部
１２１  結合部
１２２  第４螺合部
１２３  第２ホースホルダー
１２４  第２水路部
【図１】
0003189968.tif 000003
【図２】
0003189968.tif 000004
【図３】
0003189968.tif 000005
【図４】
0003189968.tif 000006